(57)【要約】      （修正有）【課題】容易に段差を識別することができ、長年の使用により摩耗せず、つま先が引っかかることのなく、踏板を踏んだときの感触に違和感を感じることもない滑り防止機構７を有する階段１であって、デザインの変更や段差の識別性の向上などの変更を容易に行うことのでき、照明が無くなった場合にも、利用する人の安全性を保つことができる。【解決手段】踏板２に設けた踏上溝２ａと止部材４とからなり、止上面４ａが踏上面２ｅより１〜３ｍｍ凹むように構成し、止部材４を踏上溝２ａに対して適当な保持力で取り付けた滑り防止機構７を有する階段１とする。さらに、踏上面２ｅと止上面４ａに異なる色等又は発光塗料等を施し、側板３に側横溝３ｂを設けて挿部材５を挿入し、挿表面５ａにも色等又は発光塗料等を施した階段１とする。【選択図】図１
0003101876.tif 000002
【実用新案登録請求の範囲】
【請求項１】
木製の踏板に設けた踏上溝と、前記踏上溝に挿入した木製の止部材とで構成した滑り防止機構であって、前記止部材の止上面が前記踏板の踏上面より凹むように構成したことを特徴とする滑り防止機構。
【請求項２】
請求項１に記載した滑り防止機構であって、止上面が踏上面より１〜３ｍｍ凹むように構成したことを特徴とする滑り防止機構。
【請求項３】
請求項１又は請求項２のいずれかに記載した滑り防止機構であって、踏上溝を踏板の全長にわたって設け、前記踏上溝のうち少なくとも側板の側板溝から外に露出する部分全体に、止部材を挿入したことを特徴とする滑り防止機構。
【請求項４】
請求項１乃至請求項３のいずれかに記載した滑り防止機構であって、踏上面若しくは止上面のいずれか一方のみに色彩若しくは模様（以下単に「色等」という。）を施したこと、又は踏上面及び止上面の両方に色等を施し、前記踏上面と前記止上面に施した前記色等を互いに異なるものとしたことを特徴とする滑り防止機構。
【請求項５】
請求項１乃至請求項４のいずれかに記載した滑り防止機構であって、止上面に蛍光塗料、発光塗料、蛍光シール、発光シール（以下発光塗料等」という。）を施したことを特徴とする滑り防止機構。
【請求項６】
請求項１乃至請求項５のいずれかに記載した滑り防止機構を有することを特徴とする木製の階段。
【請求項７】
請求項６に記載した階段であって、側板に側横溝を設け、前記側横溝に木製の挿部材を挿入し、前記挿部材の挿表面に色等又は発光塗料等を施したことを特徴とする階段。
【考案の詳細な説明】
【技術分野】
【０００１】
本考案は、木製階段の滑り防止機構及び滑り防止機構を有する階段に係り、特に肌触りが良好かつ交換容易な滑り防止機構であって、踏板の段差や滑り防止機構の位置を容易に識別可能とした滑り防止機構、及び同機構を有する安全性が高い階段を提供することに関するものである。
【背景技術】
【０００２】
従来の木製の階段には、踏板の一部に溝を施して滑り止め機能を与えた実施例があった。しかし単に踏板に溝を施しただけでは、踏板の段差を識別することが困難であり踏板を踏み外しやすい問題があった。特に、視力が衰えた人にとっては重大な問題であった。
また、踏板の上面に紐状の弾性体を取り付けた発明や、特殊なノンスリップ材を取り付けた滑り止め機構の発明もあった（例えば、特許文献２、３参照）。しかしこれらの発明のように踏板に突出物を取り付けると、長年の使用により摩耗して滑り防止機能を喪失する問題や、突出物につま先等が突っかかり転倒しやすい問題や、踏板を踏んだときの感触に違和感を感じる問題があった。
また、踏板に溝を設けて滑り止め部材を挿入する滑り止め機構の考案や発明もあった（例えば、特許文献１、４、５参照）。しかし、いずれの考案や発明も弾性体からなる滑り止め部材を人が踏むため、踏板を踏んだときの感触に違和感を感じる問題があった。
また、特許文献４の発明は凹溝と滑り止め部材との接触面積が小さく、滑り止め部材を溝に対して、通常の使用状態では滑り止め部材が外れることはなく、かつ、前記滑り止め部材を取り外すときは人の力で容易に取り外すことのできる程度の保持力（以下単に「適当な保持力」という。）で取り付けることが困難となる問題を有していた。
一方、特許文献１、５の発明では溝の形状が複雑なため加工が困難であったり、形状が複雑で高価な滑り止め部材を必要とする問題を有していた。
また、上記従来技術のうち、特許文献３の発明を除く発明では、薄暗い階段や夜間において停電や器具の故障により照明が無くなった場合などに、階段の段差等の識別が困難となり、階段を利用する人の安全性を保つことができない問題を有していた。
一方、特許文献３の発明は発光面体を取り付けたが、人が直接ノンスリップ材を踏む構成であり前記発光面体を保護する必要が生じるため、複雑な構造となっており製作が困難で高価なものとなる問題を有していた。
【特許文献１】実開平５−６６１３３号公報
【特許文献２】特開平７−２１７１３８号公報
【特許文献３】特開平８−３０２９４５号公報
【特許文献４】特開平１０−２０５０９１号公報
【特許文献５】特開平１１−１３２４０号公報
【考案の開示】
【考案が解決しようとする課題】
【０００３】
本考案は、上記した従来技術の欠点を除くためなされたものであって、その目的とするところは、踏板の段差や滑り防止機構の位置を容易に識別可能な滑り防止機構を提供すること、さらには、視力の衰えた人であっても容易に識別可能なものとすることにある。
また、長年の使用により摩耗することのない滑り防止機構であって、つま先が引っかかることがなく安全で、踏板を踏んだときの感触に違和感を感じることがなく肌触りの良好な滑り防止機構を提供することにある。
また、踏上溝と前記踏上溝に対して適当な保持力で取り付け可能な止部材とからなる滑り防止機構を提供し、前記止部材を交換することにより、デザインの変更や段差の識別性の向上などの変更を容易に行うことを可能とした階段を提供することにある。
また、薄暗い階段や夜間に停電や器具の故障などにより照明が無くなった場合などに、階段の存在、踏板の段差及び滑り防止機構の位置を識別可能な階段として、利用する人の安全性を保つことができる階段を提供することにある。
さらに、顧客の好みに応じた色彩や模様を施した階段としたり、加齢や障害を有するに至った場合などに、使用者の体調の変化に適合した階段とするなど、容易に変更可能な階段を提供することにある。
【課題を解決するための手段】
【０００４】
踏上溝と前記踏上溝に挿入した止部材とからなる滑り防止機構であって、前記止部材を前記踏上溝に対して適当な保持力で取り付け、前記止部材の止上面が前記踏板の踏上面より凹むように構成したことを特徴とする滑り防止機構とする。
また、前記踏板の踏上面と前記止部材の止上面に施した色等を互いに異なるものとしたり、前記止上面に発光塗料等を施したものとする。
また、以上のような滑り防止機構を有する階段とする。さらに、側板に側横溝を設け、前記側横溝に挿部材を挿入し、前記挿部材の挿表面に色等又は発光塗料等を施した階段とする。
【考案の効果】
【０００５】
本考案により、踏板の段差や滑り防止機構の位置を容易に識別することができる滑り防止機構を提供することができた。特に、視力の乏しい人にとっても容易に識別可能なものとすることができた。
また本考案により、長年の使用により摩耗しない滑り防止機構であって、つま先が引っかかることのなく、踏板を踏んだときの感触に違和感を感じることもなく、長寿命で安全かつ肌触りの良好な滑り止め機構を提供することができた。
また本考案により、溝に対して適当な保持力で取り付け可能な止部材を提供したので、前記止部材を交換することにより、デザインの変更や段差の識別性の向上などの変更を容易に行うことのできる階段を提供することができた。
また本考案により、暗くても階段の存在、踏板の段差及び滑り防止機構の位置を識別可能な階段としたので、薄暗い階段や夜間に停電や器具の故障により照明が無くなった場合などに、利用する人の安全性を保つことができる階段を提供することができた。
さらに本考案により、顧客の好みに応じた色彩や模様を施した階段としたり、加齢に伴い視力が衰えたり、障害を有するに至った場合などに、使用者の体調の変化に適合した階段に変更することを可能とすることができた。
例えば、若い時の好みに合わせ止部材の止上面や挿部材の挿表面を原色やサイケデリックな色調とし、中年になった時には落ち着いた色調に変更し、さらに加齢により視力が衰えた時には識別容易な色調に変更することなどが可能となった。
【考案を実施するための最良の形態】
【０００６】
請求項１の考案は、木製の踏板に設けた踏上溝と、前記踏上溝に挿入した木製の止部材とで構成した滑り防止機構であって、前記止部材の止上面が前記踏板の踏上面より凹むように構成したことを特徴とする滑り防止機構とする。
踏板も止部材も木製とするが、集成材、合板又は木材から削りだしたもの、のいずれを材料として使用してもよい。前記踏上溝は踏板の踏前面付近に設けることが好ましく、その断面は方形の溝でよく複雑な形状とすることは不要である。また、前記止部材は前記踏上溝の幅に合致した幅を有し、かつ、前記踏上溝の深さより少し小さな高さを有する方形断面の部材とする。
前記止部材を前記踏上溝に適当な保持力で保持させる方法には、前記止部材を前記踏上溝に圧入する方法や接着剤を使う方法がある。本考案では止部材を人が直接踏むことはないので、比較的弱い保持力でも止部材が外れることはないからである。
請求項２の考案は、請求項１に記載した滑り防止機構であって、止上面が踏上面より１〜３ｍｍ凹むように構成したことを特徴とする滑り防止機構とする。この値を前記数値より小さくすると滑り防止の効果が小さくなり、前記数値以上に大きくしても効果は変わらないからである。
本考案においては止部材は、踏上溝の幅に合致した幅を有し、かつ、前記踏上溝の深さより１〜３ｍｍ低い高さを有する方形断面の部材とする。
請求項３の考案は、請求項１又は請求項２のいずれかに記載した滑り防止機構であって、踏上溝を踏板の全長にわたって設け、前記踏上溝のうち少なくとも側板の側板溝から外に露出する部分全体に、止部材を挿入するように構成したことを特徴とする滑り防止機構とする。
踏上溝を踏板の一部だけでなく踏板の全長にわたって設けると踏板の加工が容易となり、踏板のうち人から見える範囲全体に止部材を取り付けると見栄えが良く、少なくとも人が足で踏む範囲の全長にわたり滑り防止機構を取り付けるのが好ましいからである。
【０００７】
請求項４の考案は、請求項１乃至請求項３のいずれかに記載した滑り防止機構であって、踏上面若しくは止上面のいずれか一方のみに色等を施したこと、又は踏上面及び止上面の両方に色等を施し前記踏上面と前記止上面に施した前記色等を互いに異なるものとしたことを特徴とする滑り防止機構とする。
例えば、踏上面と止上面を共に木目調にする場合でも両者に明暗を付けたり異なる木目とすることにより、健常者であれば容易に踏板の段差を識別することができる。さらに、踏上面と止上面の色（色相、彩度、明度）や模様を全く対照的なものとすることにより、視力が衰えた人にとっても容易に踏板の段差を識別することができるからである。
請求項５の考案は、請求項１乃至請求項４のいずれかに記載した滑り防止機構であって、止上面に発光塗料等を施したことを特徴とする滑り防止機構とする。
薄暗い階段や夜間に停電や器具の故障などにより照明が無くなった場合でも、止上面が発光して階段の存在、踏板の段差、滑り防止機構の位置を明示して、階段を利用する人の安全性を保つことができるからである。
請求項６の考案は、請求項１乃至請求項５のいずれかに記載した滑り防止機構を有することを特徴とする木製の階段とする。
上記各考案の滑り防止機構を有する階段とすることにより、それぞれの考案の効果を有する階段とすることができるからである。
請求項７の考案は、請求項６に記載した階段であって、側板に側横溝を設け、前記側横溝に木製の挿部材を挿入し、前記挿部材の挿表面に色等又は発光塗料等を施したことを特徴とする階段とする。
階段全体にデザイン的なアクセントを付けたり、側板の位置関係を目立つようにして手すりとして使用することを容易にする、などの効果を有する階段とすることができるからである。
【実施例１】
【０００８】
以下本考案の実施例を図１乃至図３に示し説明する。本実施例の階段１は木製からなり、左右の側板３にそれぞれ側板溝３ａを設けておき、側板溝３ａに踏板２の左右の踏端部２ｆを差し込んで取り付ける構成とした。
踏板２の踏上面２ｅの踏前面２ｃ近くに、方形断面を有する踏上溝２ａを踏板２の全長にわたって設け、止部材４であって踏上溝２ａの幅と同一の幅を有し、踏上溝２ａ深さより２．５ｍｍ低い高さの方形断面を有し、踏板２の全長より少し短く左右の側板３の側表面３ｃ間の距離より少し長い止部材４を、踏上溝２ａに挿入して接着剤を使用して取り付けた。
また本実施例では、踏上面２ｅを木目調とし、止部材４の止上面４ａの色彩を緑色の発光塗料を施した。以上により、側板溝３ａから外に露出した踏上溝２ａの部分の全体に止部材４を挿入し、止上面４ａが踏上面２ｅより２．５ｍｍ凹むようにした、踏上溝２ａと止部材４とからなる滑り防止機構７が構成できた。
そして、踏板２の下面には踏下溝２ｂを設け、踏下溝２ｂにケ込ミ板６の上部を差し込み、ケ込ミ板６の下部を踏板２の踏後面２ｄに合わせくぎを打ち込んで取り付けた。
さらに、側板３の側表面３ｃには方形断面を有する側横溝３ｂを設け、側横溝３ｂの方形断面と合致した方形断面を有する挿部材５を挿入した。そして、挿部材５の挿表面５ａにはオレンジ色の発光塗料を塗布した。
【０００９】
本実施例は以上のように構成されており、以下その作用について説明する。踏上溝２ａは単純な方形断面であり、踏板２の全長にわたって加工するので、従来の踏板の一部に溝を施す場合と比べ加工が容易である。
また、本実施例では止部材４を足で踏むことはないため、長年の使用により摩耗することはなく、つま先が引っかかることがなく、踏板２を踏んだときの感触に違和感を感じることもない滑り防止機構７とすることができた。さらに、滑り防止機構７を踏板２の全長にわたり設けたので、踏板の一部に設けた場合と比べて安全性が高い。
また、踏板２の踏上面２ｅが木目調であるのに対し止部材４の止上面４ａに緑色の色彩を施したので、視力の衰えた人でも容易に段差を識別することができる。
また、薄暗い階段や夜間に停電や器具の故障などにより照明が無くなった場合に、止上面４ａや挿表面５ａの発光塗料等が発光して、階段１の存在、踏板２の段差及び滑り防止機構７の位置を明示して、階段１を利用する人の安全性を保つことができた。
また、踏上溝２ａや側横溝３ｂに対して適当な保持力で取り付け可能な止部材４や挿部材５を提供し、止上面４ａや挿表面５ａに色彩を有する発光塗料を塗布した構成としたので、止部材４や挿部材５を交換することにより、デザインの変更や段差の識別性の向上などの変更を容易に行うことができる。
なを、止部材４や挿部材５を取り外すときには、クギを打ち込んだり木ねじをねじ込んだりして、前記クギや木ねじを引っ張れば取り外すことができる。
【産業上の利用可能性】
【００１０】
本考案は、木造住宅や木造の集合住宅などの階段に利用することができる。特に好みの変化することの多い居住者や、視力の低下した居住者が利用する住宅には最適である。
【図面の簡単な説明】
【００１１】
【図１】階段の部分斜視図である。
【図２】図１のＪ−Ｊ断面図である。
【図３】図１のＫ−Ｋ断面図である。
【符号の説明】
【００１２】
１  ：階段                  ２  ：踏板                  ２ａ：踏上溝
２ｂ：踏下溝                ２ｃ：踏前面                ２ｄ：踏後面
２ｅ：踏上面                ２ｆ：踏端部                ３  ：側板
３ａ：側板溝                ３ｂ：側横溝                ３ｃ：側表面
４  ：止部材                ４ａ：止上面                ５  ：挿部材
５ａ：挿表面                ６  ：ケ込ミ板              ７  ：滑り防止機構
【図１】
0003101876.tif 000003
【図２】
0003101876.tif 000004
【図３】
0003101876.tif 000005